(57)【要約】【課題】ディスク状記録媒体に記録されたウォブル信号から生成したウォブルクロックに基づいて記録用クロックを精度よく生成すること。【解決手段】所定の周期を有するウォブル信号が記録されたディスク状記録媒体に情報を記録するための記録用クロックを生成するために用いられる参照クロックを生成するＰＬＬ回路において、ウォブル信号に基づいて生成されるウォブルクロックの位相と参照クロックの分周クロックの位相とを比較し、その結果に基づいて、ウォブルクロックと参照クロックの分周クロックとの位相ずれ量とその位相ずれ位置とを検出し、記憶する。このように記憶した位相ずれ量及び位相ずれ位置に基づいてウォブルクロックの位相と参照クロックの分周クロックの位相との比較結果を補正し、この補正に応じた周波数の信号を参照クロックとして生成する。【選択図】図２
2008047166.tif 000002
【特許請求の範囲】
【請求項１】
所定の周期を有するウォブル信号が記録された情報記録トラックを有するディスク状記録媒体に情報を記録する情報記録装置において、
前記ウォブル信号に対応するウォブルクロックを生成するウォブルクロック生成部と、
前記ウォブルクロック生成部によって生成されたウォブルクロックを入力し、前記ディスク状記録媒体への情報記録に必要な記録用クロックを生成するための参照クロックを生成する第１ＰＬＬ回路と、
前記参照クロックに基づいて前記記録用クロックを生成する第２ＰＬＬ回路と、を備え、
前記第１ＰＬＬ回路は、
前記ウォブルクロックの位相と前記参照クロック又はその分周クロックの位相とを比較する位相比較部と、
前記位相比較部の比較結果に基づいて、前記ウォブルクロックと前記参照クロック又はその分周クロックとの位相ずれ量と、その位相ずれ量を検出したときの前記ディスク状記録媒体上の位置である位相ずれ位置とを検出する位相ずれ検出部と、
前記位相ずれ検出部により検出した前記位相ずれ量及び前記位相ずれ位置を記憶する位相ずれ情報記憶部と、
前記位相ずれ情報記憶部に記憶した前記位相ずれ量及び前記位相ずれ位置に基づいて前記位相比較部からの出力を補正する補正部と、
前記補正部からの出力に応じた周波数の信号を前記参照クロックとして生成する電圧制御発振部と、
を備えた情報記録装置。
【請求項２】
前記補正部は、
前記位相ずれ情報記憶部により記憶した前記位相ずれ量及び前記位相ずれ位置に基づいて、前記位相ずれの周期情報を検出する位相ずれ周期検出部を備え、
前記位相ずれの周期情報に基づいて前記位相比較部からの出力を補正する
ことを特徴とする請求項１に記載の情報記録装置。
【請求項３】
前記周期情報は、前記ディスク状記録媒体の偏心量及び偏心位置を含む偏心情報である
ことを特徴とする請求項２に記載の情報記録装置。
【請求項４】
前記ウォブル信号にはアドレス情報が変調されており、
前記位相ずれ検出部は、前記アドレス情報に基づいて前記位相ずれ位置を検出する
ことを特徴とする請求項１〜３に記載の情報記録装置。
【請求項５】
前記ディスク状記録媒体の回転位置毎の位置情報を検出する回転位置検出部を備え、
前記位相ずれ検出部は、前記回転位置検出部によって検出された前記ディスク状記録媒体の回転位置毎の位置情報に基づいて前記位相ずれ位置を検出する
ことを特徴とする請求項１〜４に記載の情報記録装置。
【請求項６】
所定の周期を有するウォブル信号が記録された情報記録トラックを有するディスク状記録媒体に情報を記録するための記録用クロックを生成するために用いられる参照クロックを生成するＰＬＬ回路において、
前記ウォブル信号に基づいて生成されるウォブルクロックの位相と前記参照クロック又はその分周クロックの位相とを比較する位相比較部と、
前記位相比較部の比較結果に基づいて、前記ウォブルクロックと前記参照クロック又はその分周クロックとの位相ずれ量と、その位相ずれ量を検出したときの前記ディスク状記録媒体上の位置である位相ずれ位置とを検出する位相ずれ検出部と、
前記位相ずれ検出部により検出した前記位相ずれ量及び前記位相ずれ位置を記憶する位相ずれ情報記憶部と、
前記位相ずれ情報記憶部に記憶した前記位相ずれ量及び前記位相ずれ位置に基づいて前記位相比較部からの出力を補正する補正部と、
前記補正部からの出力に応じた周波数の信号を前記参照クロックとして生成する電圧制御発振部と、
を備えたＰＬＬ回路。
【請求項７】
所定の周期を有するウォブル信号が記録された情報記録トラックを有するディスク状記録媒体に情報を記録するための記録用クロックの生成方法において、
前記ウォブル信号に対応するウォブルクロックを入力し、前記ディスク状記録媒体への情報記録に必要な記録用クロックを生成するための参照クロックを生成する第１ステップと、
前記参照クロックに基づいて前記記録用クロックを生成する第２ステップと、を有し、
前記第２ステップには、
前記ウォブルクロックの位相と前記参照クロック又はその分周クロックの位相とを比較するステップと、
前記ウォブルクロックの位相と前記参照クロック又はその分周クロックの位相との比較結果に基づいて、前記ウォブルクロックと前記参照クロック又はその分周クロックとの位相ずれ量と、その位相ずれ量を検出したときの前記ディスク状記録媒体上の位置である位相ずれ位置とを検出するステップと、
前記位相ずれ量及び前記位相ずれ位置を記憶するステップと、
前記記憶した前記位相ずれ量及び前記位相ずれ位置に基づいて、前記ウォブルクロックの位相と前記参照クロックの位相との比較結果を補正するステップと、
前記補正された比較結果に応じた周波数の信号を前記参照クロックとして生成するステップと、
を有する記録用クロックの生成方法。
【発明の詳細な説明】
【技術分野】
【０００１】
本発明は、ＰＬＬ回路及び情報記録装置並びに記録用クロックの生成方法に関する。
【背景技術】
【０００２】
従来より、ＤＶＤ（Digital Video/Versatile Disc）のようなディスク状記録媒体に対して情報を記録する情報記録装置が知られている。
【０００３】
この種のディスク状記録媒体には、情報を記録する情報記録トラックが螺旋状に配置されており、また、この情報記録トラックには所定の周期を有するウォブル信号が記録されている。
【０００４】
情報記録装置は、情報記録トラックに情報を記録する際に、ウォブル信号に応じたウォブルクロックを生成し、このウォブルクロックに基づいて記録用クロックを生成する。そして、このように生成した記録用クロックを用いて情報記録トラックに情報を記録するように構成されている（例えば、特許文献１参照）。
【０００５】
図５は、従来の記録用クロック信号発生回路の構成例を示したブロック図である。
【０００６】
図５において、記録用クロック信号発生回路１００は、位相比較部１０１、ＬＰＦ（Low Pass Filter)１０２、ＶＣＯ（Voltage Controlled Oscillator ）１０３及び分周器１０４を有する所謂ＰＬＬ（Phase Locked Loop）回路で構成されている。
【０００７】
位相比較部１０１は、ディスク状記録媒体に記録されたウォブル信号に基づいて生成されたウォブルクロックと、記録用クロックを分周器１０４で所定比に分周した分周クロック信号との位相を比較する。
【０００８】
位相比較部１０１からの出力は、ＬＰＦ１０２によって平滑化された後、電圧制御発振部（以下、「ＶＣＯ」とする。）１０３に入力される。ＶＣＯ１０３は、ＬＰＦ１０２から出力された電圧に応じた周波数の信号を記録用クロックとして出力する。
【０００９】
このような動作を継続することにより、ＰＬＬのループが安定してＰＬＬロック状態となり、記録用クロックの位相は、ウォブルクロックに同期したものになる。
【特許文献１】特開平１０−２９３９２６号公報
【発明の開示】
【発明が解決しようとする課題】
【００１０】
しかしながら、ディスク状記録媒体から検出するウォブル信号に位相ずれが生じることがあり、そのため記録用クロックの精度が悪化してしまうことがあった。記録用クロックの精度が悪化すると、ディスク状記録媒体に対する情報の記録精度が悪くなってしまうという問題が生じる。
【００１１】
例えば、ＤＶＤ＋Ｒ／ＲＷ規格に準拠したディスク状記録媒体においては、情報記録トラックに記録されるウォブルに位相変調が施されており（図６中参照）、この位相変調を復調することによってアドレス情報を抽出しているが、製造上、位相変調部分の前後で記録されるウォブル信号の位置ずれが生じる恐れがある。このウォブル信号の位置ずれが発生すると、ディスク状記録媒体から検出するウォブルクロックに位相ずれが生じてしまい、その結果、ウォブルクロックから得られる記録用クロックの精度が悪化してしまうことになる。
【００１２】
また、ＤＶＤ−ＲＡＭ規格に準拠したディスク状記録媒体においては、ウォブル信号の記録によりウォブリングされる情報記録トラックにＣＡＰＡ（Complimentary Allocated Pit Addressing）と呼ばれるアドレス情報が記録されている（図７及び図８参照。）が、ＣＡＰＡとウォブル信号とのつなぎ目の部分において製造上、ウォブル信号の位置ずれが生じる場合がある。このウォブル信号の位置ずれが発生すると、ディスク状記録媒体から検出するウォブルクロックに位相ずれが生じてしまい、その結果、ウォブルクロックから得られる記録用クロックの精度が悪化してしまうことになる。
【００１３】
また、ディスク状記録媒体の盤面上に傷が入ってしまい、その傷が固定的な外乱として作用してしまった場合、或いはディスク状記録媒体が偏心している場合などにも、ディスク状記録媒体から検出するウォブルクロックに位相ずれが生じてしまい、その結果、ウォブルクロックから得られる記録用クロックの精度が悪化してしまうことになる。
【００１４】
本発明は、このような課題を解決するためになされたものであり、ディスク状記録媒体に記録されたウォブル信号から生成したウォブルクロックに基づいて記録用クロックを精度よく生成するＰＬＬ回路及び情報記録装置並びに記録用クロックの生成方法を提供することを目的とする。
【課題を解決するための手段】
【００１５】
請求項１に記載の発明は、所定の周期を有するウォブル信号が記録された情報記録トラックを有するディスク状記録媒体に情報を記録する情報記録装置において、前記ウォブル信号に対応するウォブルクロックを生成するウォブルクロック生成部と、前記ウォブルクロック生成部によって生成されたウォブルクロックを入力し、前記ディスク状記録媒体への情報記録に必要な記録用クロックを生成するための参照クロックを生成する第１ＰＬＬ回路と、前記参照クロックに基づいて前記記録用クロックを生成する第２ＰＬＬ回路と、を備え、前記第１ＰＬＬ回路は、前記ウォブルクロックの位相と前記参照クロック又はその分周クロックの位相とを比較する位相比較部と、前記位相比較部の比較結果に基づいて、前記ウォブルクロックと前記参照クロック又はその分周クロックとの位相ずれ量と、その位相ずれ量を検出したときの前記ディスク状記録媒体上の位置である位相ずれ位置とを検出する位相ずれ検出部と、前記位相ずれ検出部により検出した前記位相ずれ量及び前記位相ずれ位置を記憶する位相ずれ情報記憶部と、前記位相ずれ情報記憶部に記憶した前記位相ずれ量及び前記位相ずれ位置に基づいて前記位相比較部からの出力を補正する補正部と、前記補正部からの出力に応じた周波数の信号を前記参照クロックとして生成する電圧制御発振部とを備えたことを特徴とする。
【００１６】
また、請求項２に記載の発明は、請求項１に記載の発明において、前記補正部は、前記位相ずれ情報記憶部により記憶した前記位相ずれ量及び前記位相ずれ位置に基づいて、前記位相ずれの周期情報を検出する位相ずれ周期検出部を備え、前記位相ずれの周期情報に基づいて前記位相比較部からの出力を補正することを特徴とする。
【００１７】
また、請求項３に記載の発明は、請求項２に記載の発明において、前記周期情報は、前記ディスク状記録媒体の偏心量及び偏心位置を含む偏心情報であることを特徴とする。
【００１８】
また、請求項４に記載の発明は、請求項１から３のいずれか１項に記載の発明において、前記ウォブル信号にはアドレス情報が変調されており、前記位相ずれ検出部は、前記アドレス情報に基づいて前記位相ずれ位置を検出することを特徴とする。
【００１９】
また、請求項５に記載の発明は、請求項１から４のいずれか１項に記載の発明において、前記ディスク状記録媒体の回転位置毎の位置情報を検出する回転位置検出部を備え、前記位相ずれ検出部は、前記回転位置検出部によって検出された前記ディスク状記録媒体の回転位置毎の位置情報に基づいて前記位相ずれ位置を検出することを特徴とする。
【００２０】
また、請求項６に記載の発明は、所定の周期を有するウォブル信号が記録された情報記録トラックを有するディスク状記録媒体に情報を記録するための記録用クロックを生成するために用いられる参照クロックを生成するＰＬＬ回路において、前記ウォブル信号に基づいて生成されるウォブルクロックの位相と前記参照クロック又はその分周クロックの位相とを比較する位相比較部と、前記位相比較部の比較結果に基づいて、前記ウォブルクロックと前記参照クロック又はその分周クロックとの位相ずれ量と、その位相ずれ量を検出したときの前記ディスク状記録媒体上の位置である位相ずれ位置とを検出する位相ずれ検出部と、前記位相ずれ検出部により検出した前記位相ずれ量及び前記位相ずれ位置を記憶する位相ずれ情報記憶部と、前記位相ずれ情報記憶部に記憶した前記位相ずれ量及び前記位相ずれ位置に基づいて前記位相比較部からの出力を補正する補正部と、前記補正部からの出力に応じた周波数の信号を前記参照クロックとして生成する電圧制御発振部とを備えたことを特徴とする。
【００２１】
また、請求項７に記載の発明は、所定の周期を有するウォブル信号が記録された情報記録トラックを有するディスク状記録媒体に情報を記録するための記録用クロックの生成方法において、前記ウォブル信号に対応するウォブルクロックを入力し、前記ディスク状記録媒体への情報記録に必要な記録用クロックを生成するための参照クロックを生成する第１ステップと、前記参照クロックに基づいて前記記録用クロックを生成する第２ステップと、を有し、前記第２ステップには、前記ウォブルクロックの位相と前記参照クロック又はその分周クロックの位相とを比較するステップと、前記ウォブルクロックの位相と前記参照クロック又はその分周クロックの位相との比較結果に基づいて、前記ウォブルクロックと前記参照クロック又はその分周クロックとの位相ずれ量と、その位相ずれ量を検出したときの前記ディスク状記録媒体上の位置である位相ずれ位置とを検出するステップと、前記位相ずれ量及び前記位相ずれ位置を記憶するステップと、前記記憶した前記位相ずれ量及び前記位相ずれ位置に基づいて、前記ウォブルクロックの位相と前記参照クロックの位相との比較結果を補正するステップと、前記補正された比較結果に応じた周波数の信号を前記参照クロックとして生成するステップとを有することを特徴とする。
【発明の効果】
【００２２】
請求項１，６，７に記載の発明によれば、ウォブルクロックと参照クロックとの位相差からウォブルクロックと参照クロックとの位相ずれの量及び位置を検出して記憶し、この記憶した情報に基づいてウォブルクロックと参照クロックとの位相差を補正し、その補正結果に応じた周波数の信号を参照クロックとして生成するので、ディスク状記録媒体から検出するウォブルクロックに位相ずれが生じた場合であっても精度よく補正を行うことができ、従って、記録用クロックの精度が悪化することを抑制することができる。
【００２３】
また、請求項２に記載の発明によれば、記憶した位相ずれの量及び位置に基づいて位相ずれの周期性を検出し、その周期性に応じてウォブルクロックと参照クロックとの位相差を補正するので、ディスク状記録媒体から検出するウォブルクロックに位相ずれが周期的に発生する場合であっても、精度よく補正を行うことができ、従って、記録用クロックの精度が悪化することを抑制することができる。
【００２４】
また、請求項３に記載の発明によれば、周期情報を、ディスク状記録媒体の偏心量及び偏心位置を含む偏心情報としたので、ディスク状記録媒体において偏心することによって生じるウォブルクロックに位相ずれがあった場合でも、記録用クロックの精度が悪化することを抑制することができる。
【００２５】
また、請求項４に記載の発明によれば、位相ずれ検出部においてアドレス情報に基づいて位相ずれ位置を検出するようにしたので、例えば、ＤＶＤ−ＲＡＭ規格に準拠したディスク状記録媒体ようにＣＡＰＡと呼ばれるアドレス情報の前後の位相ずれがある場合の位相ずれ位置検出が容易となる。
【００２６】
また、請求項５に記載の発明によれば、ディスク状記録媒体の回転位置毎の位置情報を検出する回転位置検出部を用いて位相ずれ位置を検出するので、ディスク状記録媒体の回転制御に用いられるＦＧ(Frequency Generator)パルスを用いることによって簡単に位相ずれ位置を検出することができる。
【発明を実施するための最良の形態】
【００２７】
以下、本発明の実施形態における情報記録装置の構成について具体的に説明する。
【００２８】
本発明の実施形態における情報記録装置は、所定の周期を有するウォブル信号が記録された情報記録トラックを有するディスク状記録媒体に情報を記録する情報記録装置である。
【００２９】
ディスク状記録媒体としては、例えば、ＤＶＤ−Ｒ／ＲＷ規格に準拠した光ディスク、ＤＶＤ＋Ｒ／ＲＷ規格に準拠した光ディスク、ＤＶＤ−ＲＡＭ規格に準拠した光ディスクなどがある。
【００３０】
この情報記録装置は、ウォブル信号に対応するウォブルクロックを生成するウォブルクロック生成部と、ウォブルクロック生成部によって生成されたウォブルクロックを入力し、ディスク状記録媒体への情報記録に必要な記録用クロックを生成するための参照クロックを生成する第１ＰＬＬ回路と、参照クロックから記録用クロックを生成する第２ＰＬＬ回路とを備えている。
【００３１】
しかも、第１ＰＬＬ回路は、ウォブルクロックの位相と参照クロック又はその分周クロックの位相とを比較する位相比較部と、位相比較部の比較結果に基づいて、ウォブルクロックと参照クロック又はその分周クロックとの位相ずれ量と、その位相ずれ量を検出したときのディスク状記録媒体上の位置である位相ずれ位置とを検出する位相ずれ検出部と、位相ずれ検出部により検出した位相ずれ量及び位相ずれ位置を記憶する位相ずれ情報記憶部と、位相ずれ情報記憶部に記憶した位相ずれ量及び位相ずれ位置に基づいて位相比較部からの出力を補正する補正部と、補正部からの出力に応じた周波数の信号を参照クロックとして生成する電圧制御発振部とを備えている。
【００３２】
従って、ウォブルクロックと参照クロックとの位相差からウォブルクロックと参照クロックとの位相ずれの量及び位置を検出して記憶しておき、この記憶した情報に基づいてウォブルクロックと参照クロックとの位相差を補正して、その補正結果に応じた周波数の信号を参照クロックとして生成することができる。
【００３３】
その結果、ディスク状記録媒体から検出するウォブルクロックに位相ずれが生じた場合であっても精度よく補正を行うことができ、従って、記録用クロックの精度が悪化することを抑制することができる。例えば、ディスク状記録媒体の盤面上に後天的に傷が入り、固定的な外乱として作用した場合であっても、記憶した位相ずれ位置及び量に基づいてその傷の位置を補正することができることから、記憶した情報に基づいて精度よく補正を行うことができる。
【００３４】
特に、補正部において、位相ずれ情報記憶部により記憶した位相ずれ量及び位相ずれ位置に基づいて、位相ずれの周期情報を検出する位相ずれ周期検出部を設けて、位相ずれの周期情報に基づいて位相比較部からの出力を補正するようにすることで、ディスク状記録媒体から検出するウォブルクロックに位相ずれが周期的に発生する場合であっても、精度よく補正を行うことができる。
【００３５】
また、周期情報をディスク状記録媒体の偏心量及び偏心位置を含む偏心情報とすることで、ディスク状記録媒体において偏心することによって生じるウォブル信号に位相ずれがあった場合でも、精度よく補正を行うことができる。
【００３６】
また、位相ずれ検出部においてアドレス情報に基づいて位相ずれ位置を検出することにより、例えば、ＤＶＤ−ＲＡＭ規格に準拠したディスク状記録媒体のようにＣＡＰＡと呼ばれるアドレス情報の前後の位相ずれがある場合の位相ずれ位置検出が容易となる。
【００３７】
また、ディスク状記録媒体の回転位置毎の位置情報を検出する回転位置検出部を設け、位相ずれ検出部において、回転位置検出部によって検出されたディスク状記録媒体の回転位置毎の位置情報に基づいて位相ずれ位置を検出することができ、回転位置検出部として、ディスク状記録媒体の回転制御に用いられるＦＧ(Frequency Generator)パルス発生器を用いることができるので、位相ずれ位置検出のために別途回転位置検出部を設ける必要がなく、コスト及びスペースの負担がない。
【００３８】
以下、本発明の実施形態における情報記録装置の具体的構成及びその動作について順に説明する。まず、情報記録装置１の構成を説明する。図１は情報記録装置１の概略ブロック図である。
【００３９】
情報記録装置１は、所定の周期を有するウォブル信号が記録された情報記録トラックを有するディスク状記録媒体Ａに情報を記録する装置であり、図１に示すように、フォトディテクタ（Photo Detector）１０と、ウォブル復調部１１と、アドレスデコーダ１２と、システムコントローラ１３と、データバッファ１４と、エンコーダ１６と、変調部１７と、レーザダイオード１８と、ディスク状記録媒体Ａを回転させるためのサーボ機構１９とを備えており、以下のように動作する。
【００４０】
すなわち、サーボ機構１９により回転中のディスク状記録媒体Ａにレーザダイオード１８により照射されたビームの反射光をフォトディテクタ１０によって検出する。フォトディテクタ１０では、受光した反射光から２値化されたウォブル信号情報を抽出してウォブル復調部１１に入力する。
【００４１】
ウォブル復調部１１は、フォトディテクタ１０から出力されたウォブル信号情報からウォブル信号に対応するウォブルクロックＷＢＣＫを生成するウォブルクロック生成部２０と、フォトディテクタ１０から出力された信号からウォブル信号、ＬＰＰ（ランドプリピット）信号或はＣＡＰＡなどのアドレスデータを抽出するアドレスデータ抽出部２１とを備えている。また、ウォブル復調部１１には、後述で詳説する記録用クロック生成部２２が設けられており、ディスク状記録媒体Ａへの情報の書き込みに必要な記録用クロックを生成する。
【００４２】
アドレスデコーダ１２は、ウォブル復調部１１によって抽出されたアドレスデータからアドレス情報であるウォブルアドレス、ＬＰＰアドレス或はＣＡＰＡアドレスのデコードを行う。
【００４３】
アドレスデコーダ１２から出力されたアドレス情報はシステムコントローラ１３に入力され、このアドレス情報に基づいてシステムコントローラ１３は書き込み開始のタイミングを生成する。
【００４４】
一方、ディスク状記録媒体Ａに記録される情報は、パーソナルコンピュータなどのホスト装置１５から入力され、データバッファ１４に蓄積された後、システムコントローラ１３によって生成された書き込み開始のタイミングに基づいて、データバッファ１４からエンコーダ１６に出力される。
【００４５】
エンコーダ１６は、データバッファ１４から入力された書き込み用情報をエンコードし、変調部１７に入力される。変調部１７は、エンコードされた書き込み用情報を変調してレーザダイオード１８に出力し、このレーザダイオード１８によってエンコードされた書き込み用情報がディスク状記録媒体Ａに記録される。
【００４６】
次に、本実施形態の特徴部分である記録用クロック生成部２２の構成について図面を参照して説明する。図２は記録用クロック生成部２２の構成図である。
【００４７】
図２に示すように、記録用クロック生成部２２は、ウォブルクロック生成部２０によって生成されたウォブルクロックＷＢＣＫを入力し、ディスク状記録媒体Ａへの情報記録に必要な記録用クロックＷＣＫを生成するための参照クロックＲＣＫを生成する第１ＰＬＬ（Phase Locked Loop）回路としてのウォブルＰＬＬ回路３０と、参照クロックＲＣＫに基づいて記録用クロックＷＣＫを生成する第２ＰＬＬ回路としてのライトクロックＰＬＬ回路５０とを備えている。なお、ライトクロックＰＬＬ回路５０は、参照クロックＲＣＫのほか固定発振器から出力されるクロックなどを用いて記録用クロックＷＣＫを生成する。
【００４８】
ウォブルＰＬＬ回路３０は、ウォブルクロックＷＢＣＫの位相と参照クロックＲＣＫを分周したクロックＷＢＣＫ’（以下、「分周クロックＷＢＣＫ’」と呼ぶ。）の位相とを比較し、その結果に応じた電圧信号Ｓｉｇ１を出力する位相比較部３１と、この位相比較部３１からの出力信号Ｓｉｇ１に基づいた周波数の信号を参照クロックＲＣＫとして生成する電圧制御発振部（ＶＣＯ）３２と、参照クロックＲＣＫの周波数を１／Ｎに分周する分周器３３とを備えており、入力されるウォブルクロックＷＢＣＫに応じた参照クロックＲＣＫを生成する。なお、分周器３３を用いずに、参照クロックＲＣＫをそのまま位相比較部３１に入力してもよい。
【００４９】
このウォブルＰＬＬ回路３０には、さらに、アドレスデコーダ１２から出力されたアドレス情報と、ＦＧ(Frequency Generator)パルス発生器６１から出力されるＦＧパルスとを入力し、アドレス情報及びＦＧパルスのいずれか一方を選択して出力するセレクタ３４と、セレクタから出力される信号Ｓｉｇ２と位相比較部３１の比較結果である出力信号Ｓｉｇ１に基づいて、ウォブルクロックＷＢＣＫと分周クロックＷＢＣＫ’との位相ずれ量と、その位相ずれ量を検出したときのディスク状記録媒体Ａ上の位置である位相ずれ位置とを検出する位相ずれ検出部３５と、この位相ずれ検出部３５により検出した位相ずれ量及び位相ずれ位置を記憶する位相ずれ情報記憶部３６と、位相ずれ情報記憶部３６により記憶した位相ずれ量及び位相ずれ位置に基づいて、位相ずれの周期情報を検出する位相ずれ周期検出部３７と、位相ずれ情報記憶部３６に記憶した位相ずれ量及び位相ずれ位置や位相ずれ周期検出部３７により検出した位相ずれの周期情報に基づいて位相比較部３１からの出力信号Ｓｉｇ１を補正する補正部３８とを備えている。
【００５０】
ここで、位相ずれ検出部３５における位相ずれ量の検出は、位相比較部３１の比較結果である出力信号Ｓｉｇ１の電圧値と位相ずれ量とを対応させた位相ずれ量参照テーブルを用いて行われる。すなわち、位相比較部３１の比較結果である出力信号Ｓｉｇ１の電圧に対応する位相ずれ量をテーブルを参照することによって検出するのである。なお、この位相ずれ量参照テーブルは、位相ずれ検出部３５内の記憶部（図示せず）に記憶される。
【００５１】
また、位相ずれ検出部３５における位相ずれ位置の検出は、セレクタ３４から出力される信号Ｓｉｇ２に基づいて行われる。なお、セレクタ３４は、アドレス情報が入力されたときにこのアドレス情報を選択し、このアドレス情報を信号Ｓｉｇ２として出力し、ＦＧパルスが入力されたときにこのＦＧパルスを選択し、このＦＧパルスを信号Ｓｉｇ2として出力する。
【００５２】
例えば、信号Ｓｉｇ２としてセレクタ３４によりＦＧパルスが選択されている場合、位相ずれ検出部３５はＦＧパルスの数をカウントすることによりディスク状記録媒体Ａがどの回転位置にあるかを検出する。すなわち、位相ずれ検出部３５は、ディスク状記録媒体Ａの回転位置毎の位置情報を検出する回転位置検出部であるＦＧパルス発生器６１から出力されるディスク状記録媒体Ａの回転位置毎の位置情報に基づいて位相ずれ位置を検出する。
【００５３】
本実施形態においては、ＦＧパルス発生器６１から出力されるＦＧパルスは、ディスク状記録媒体Ａの１回転あたり８回出力されるように構成されており、図３に示すように、回転位置０°，４５°，９０°，１３５°，１８０°，２２５°，２７０°，３１５°においてそれぞれＦＧパルスを出力するようにしている。
【００５４】
位相ずれ検出部３５は、ＦＧパルス発生器６１からＦＧパルスが出力されるタイミングで、位相ずれ量の検出を行うことで、この位相ずれ量を検出したときのディスク状記録媒体Ａ上の位置である位相ずれ位置を検出するようにしている。
【００５５】
このように、ディスク状記録媒体Ａの全ての位置の位相ずれ量を検出するのではなく、所定の回転位置毎の位相ずれ量を検出することにより、検出頻度を低減させることができる。さらに、ＦＧ(Frequency Generator)パルス発生器６１から出力されるＦＧパルスを用いるので、別途回転検出するための回路を設ける必要がない。
【００５６】
一方、信号Ｓｉｇ２としてセレクタ３４によりアドレス情報が選択されている場合、位相ずれ検出部３５は、位相ずれ位置としてアドレス情報を用いる。
【００５７】
すなわち、位相ずれ検出部３５は、アドレス情報が入力されるタイミングで、位相ずれ量の検出を行い、さらに、この位相ずれ量を検出したときのアドレス情報を検出することにより、ディスク状記録媒体Ａ上の位置である位相ずれ位置を検出するようにしている。
【００５８】
また、位相ずれ検出部３５は、ＦＧパルスやアドレス情報が入力されていない場合であっても、位相比較部３１から出力される信号Ｓｉｇ２が所定値以上大きいとき、すなわちウォブルクロックＷＢＣＫの位相と分周クロックＷＢＣＫ’の位相とが所定の位相ずれよりもずれていると判定すると、位相ずれ量の検出を行うように構成されている。
【００５９】
位相ずれ検出部３５には、ＦＧパルスが入力されてから次のＦＧパルスが入力されるまでの時間をカウントする第１カウント部、或いはアドレス情報が入力されてから次のアドレス情報が入力されるまでの時間をカウントする第２カウント部が設けられており、最後に検出したＦＧパルス或いはアドレス情報とこれらのカウント部からの出力とに基づいて、ディスク状記録媒体Ａ上の位置である位相ずれ位置と検出するようにしている。
【００６０】
このように、ディスク状記録媒体Ａから検出するウォブルクロックＷＢＣＫに位相ずれが生じた場合であっても、位相ずれ検出部３５において、その位相ずれ量と位相ずれ位置を検出することが可能となる。
【００６１】
ところで、位相ずれ情報記憶部３６には、ホスト装置１５からの情報をディスク状記録媒体Ａに記録する前に、情報を書き込むディスク状記録媒体Ａの位相ずれを予め記憶しておく必要がある。従って、システムコントローラは、情報をディスク状記録媒体Ａに記録する前に、サーボ機構１９を制御してディスク状記録媒体Ａを回転させ、記録用クロック生成部２２にウォブルクロックＷＢＣＫなどを入力させて、位相ずれ検出部３５によって位相ずれ量と位相ずれ位置を検出させ、位相ずれ情報記憶部３６に記憶させるように制御する。
【００６２】
位相ずれ周期検出部３７は、位相ずれ情報記憶部３６により記憶した位相ずれ量及び位相ずれ位置に基づいて、位相ずれの周期情報を検出する。
【００６３】
例えば、位相ずれ情報記憶部３６において記憶されているディスク状記録媒体Ａの回転位置に応じた位相ずれ情報に基づいて、ディスク状記録媒体Ａの偏心量及び偏心位置を含む偏心情報を位相ずれの周期情報を検出する。
【００６４】
すなわち、図３に示すようにＦＧパルスは、ディスク状記録媒体Ａの1周を８個に等間隔の領域に分けるように出力されるものであるため、予めディスク状記録媒体Ａを数回転させて位相ずれ情報記憶部３６に位相ずれ量及び位相ずれ位置を記憶させておく。ディスク状記録媒体Ａに偏心がある場合には、ディスク状記録媒体Ａにおける回転位置毎に周波数の変動することになるため、位相ずれ量が異なってくる。
【００６５】
例えば、図４に示すように回転位置によって位相ずれ量が異なることになる。従って、位相ずれ情報記憶部３６において記憶されているディスク状記録媒体Ａの回転位置に応じた位相ずれ情報（例えば、４５度毎の情報）から、ディスク状記録媒体Ａの偏心量及び偏心位置を含む偏心情報（例えば、図４に示すようなオフセット(補正)量をディスク状記録媒体Ａの偏心位置毎に偏心量として対応づけた情報）を検出するようにする。
【００６６】
また、位相ずれ情報記憶部３６において記憶されているディスク状記録媒体Ａのアドレス情報に応じた位相ずれ情報に基づいて、ディスク状記録媒体Ａの偏心量及び偏心位置を含む偏心情報を検出するようにしてもよい。
【００６７】
すなわち、ディスク状記録媒体Ａにおけるアドレス情報の位置は一定位置に配置されているため、各アドレス情報からディスク状記録媒体Ａの位置を検出することができ、従って、複数のアドレス情報とその位相ずれ量から上述のＦＧパルスのときと同様に、ディスク状記録媒体Ａの偏心情報を検出することができる。
【００６８】
補正部３８は、補正値算出部４１と加算部４２とを備えており、位相ずれ情報記憶部３６からの情報或いは位相ずれ周期検出部３７から出力される情報とセレクタから出力される信号Ｓｉｇ２とに基づいて位相比較部３１からの出力信号Ｓｉｇ１を補正して補正電圧Ｓｉｇ４を生成する。すなわち、補正値算出部４１によって位相ずれ情報記憶部３６からの情報或いは位相ずれ周期検出部３７から出力される情報とセレクタから出力される信号Ｓｉｇ２とに基づいた補正信号Ｓｉｇ３を生成して出力し、加算部４２によって補正値算出部４１から出力される補正信号Ｓｉｇ３と位相比較部３１からの出力信号Ｓｉｇ１とを加算して補正電圧Ｓｉｇ４を生成する。
【００６９】
ここで、まず、補正値算出部４１において、位相ずれ情報記憶部３６に記憶した情報（位相ずれ量及び位相ずれ位置）とセレクタから出力される信号Ｓｉｇ２とに基づいて位相比較部３１からの出力信号Ｓｉｇ１を補正するための補正信号Ｓｉｇ３を生成する動作について説明する。
【００７０】
補正値算出部４１は、信号Ｓｉｇ２としてセレクタ３４によりアドレス情報が選択されているとき、セレクタ３４から出力されるアドレス情報が位相ずれ情報記憶部３６に記憶した位相ずれ位置であるアドレス情報と一致するか否かを判定する。そして、これらが一致すると判定すると、一致するアドレス情報に対応する位相ずれ量を位相ずれ情報記憶部３６から取り出し、この位相ずれ量に応じた補正信号Ｓｉｇ３を生成する。ここで、複数の位相ずれ量と補正信号の値とが関連付けられて補正テーブルに記憶されており、補正値算出部４１は、この補正テーブルを参照して補正信号Ｓｉｇ３を生成する。なお、補正テーブルは補正値算出部４１内の記憶部（図示せず）に記憶される。
【００７１】
このように、補正値算出部４１は、アドレス情報を検出する毎に補正を行うようにしているため、例えば、ＤＶＤ＋Ｒ／ＲＷのように、アドレス情報が情報記録トラックに記録されるウォブルに位相変調により記録されたディスク状記録媒体Ａにおいて、位相変調部分の前後で記録されるウォブル信号の位置ずれを精度よく行うことができる。なお、この場合、位相ずれ情報記憶部３６に記憶される位相ずれ位置は、位相変調部分の直後の部分となるように位相ずれ検出部３５によって検出する。また、ＤＶＤ−ＲＡＭのように、アドレス情報が情報記録トラックにＣＡＰＡで記録されているディスク状記録媒体において、ＣＡＰＡの前後で記録されるウォブル信号の位置ずれを精度よく行うことができる。
【００７２】
また、補正値算出部４１は、信号Ｓｉｇ２としてセレクタ３４によりＦＧパルスが選択されているとき、セレクタ３４から出力されるＦＧパルスをカウントすることにより現在ディスク状記録媒体Ａがどの回転位置にあるかを検出する。そして、検出したディスク状記録媒体Ａの回転位置に対応する位相ずれ量を位相ずれ情報記憶部３６から取り出し、この位相ずれ量に応じた補正信号Ｓｉｇ３を生成する。
【００７３】
また、補正値算出部４１は、ＦＧパルスやアドレス情報の入力タイミングではないが、位相比較部３１から出力される信号Ｓｉｇ２が所定値以上大きいときに位相ずれ量の検出された位相ずれ位置の情報と一定する位置にディスク状記録媒体Ａが到達したときにも、その位置に対応する位相ずれ量を位相ずれ情報記憶部３６から取り出し、この位相ずれ量に応じた補正信号Ｓｉｇ３を生成する。
【００７４】
なお、補正値算出部４１には、位相ずれ検出部３５と同様に、ＦＧパルスが入力されてから次のＦＧパルスが入力されるまでの時間をカウントする第１カウント部、或いはアドレス情報が入力されてから次のアドレス情報が入力されるまでの時間をカウントする第２カウント部が設けられており、最後に検出したＦＧパルス或いはアドレス情報とこれらのカウント部からの出力とに基づいて、ディスク状記録媒体Ａ上の位置である位相ずれ位置と検出するようにしている。なお、補正値算出部４１に第１カウント部や第２カウント部を設けずに、位相ずれ検出部３５の第１カウント部又は第２カウント部から情報を取得するようにしてもよい。
【００７５】
このように補正値算出部４１は、ディスク状記録媒体Ａの回転位置に応じた位相ずれ量の補正を行うようにしているため、例えば、ディスク状記録媒体Ａの盤面上に後天的に傷が入り、固定的な外乱として作用して位相ずれが発生した場合でも、その位相ずれを補正することができる。
【００７６】
次に、補正値算出部４１において、位相ずれ周期検出部３７から出力される情報（ディスク状記録媒体Ａの偏心量及び偏心位置を含む偏心情報）とセレクタから出力される信号Ｓｉｇ２とに基づいて位相比較部３１からの出力信号Ｓｉｇ１を補正するための補正信号Ｓｉｇ３を生成する動作について説明する。
【００７７】
補正値算出部４１は、信号Ｓｉｇ２としてセレクタ３４によりＦＧパルスが選択されているとき、セレクタ３４から出力されるＦＧパルスをカウントすることにより現在ディスク状記録媒体Ａがどの回転位置にあるかを検出する。そして、検出したディスク状記録媒体Ａの回転位置に対応する位相ずれ量を位相ずれ周期検出部３７から出力される情報に基づいて検出し、この位相ずれ量に応じた補正信号Ｓｉｇ３を生成する。なお、このとき、補正値算出部４１は、ＦＧパルスが入力されてから次のＦＧパルスが入力されるまでの時間をカウントすることにより詳細にディスク状記録媒体Ａの回転位置を検出しており、例えば、図４に示すように連続的にオフセット（補正）量である補正信号Ｓｉｇ３を生成して出力することができる。
【００７８】
また、信号Ｓｉｇ２としてセレクタ３４によりアドレス情報が選択されているときも同様に、セレクタ３４から出力されるアドレス情報により現在ディスク状記録媒体Ａがどの回転位置にあるかを検出する。そして、検出したディスク状記録媒体Ａの回転位置に対応する位相ずれ量を位相ずれ周期検出部３７から出力される情報に基づいて検出し、この位相ずれ量に応じた補正信号Ｓｉｇ３を生成する。なお、このとき、補正値算出部４１は、アドレス情報が入力されてから次のアドレス情報が入力されるまでの時間をカウントすることにより詳細にディスク状記録媒体Ａの回転位置を検出することができる。例えば、図４に示すように連続的にオフセット量である補正信号Ｓｉｇ３を生成して出力することができる。
【００７９】
このように、位相ずれ周期検出部３７から出力される情報に基づいて位相ずれを補正するようにしているので、ディスク状記録媒体Ａにおいて偏心することによって生じるウォブル信号に位相ずれがあった場合でも、精度よく補正を行うことができる。
【００８０】
以上のように、本実施形態における情報記録装置１における記録用クロック生成部２２は、ウォブル信号に対応するウォブルクロックＷＢＣＫを入力し、ディスク状記録媒体Ａへの情報記録に必要な記録用クロックＷＣＫを生成するための参照クロックＲＣＫを生成し、参照クロックＲＣＫに基づいて記録用クロックＷＣＫを生成するものであり、参照クロックＲＣＫを生成するために以下のように動作する。
【００８１】
すなわち、ディスク状記録媒体Ａへの情報記録前に、ウォブルクロック生成部２０によって生成されたウォブルクロックＷＢＣＫの位相と参照クロックＲＣＫの分周クロックＷＢＣＫ’の位相とを位相比較部３１によって比較する。そして、ウォブルクロックＷＢＣＫの位相と参照クロックＲＣＫの分周クロックＷＢＣＫ’の位相との比較結果に基づいて、位相ずれ検出部３５により、ウォブルクロックＷＢＣＫの位相と参照クロックＲＣＫの分周クロックＷＢＣＫ’との位相ずれ量と、その位相ずれ量を検出したときのディスク状記録媒体Ａ上の位置である位相ずれ位置とを検出し、位相ずれ情報記憶部３６に記憶しておく。
【００８２】
そして、ディスク状記録媒体Ａへ情報を記録するときに、ウォブルクロック生成部２０によって生成されたウォブルクロックＷＢＣＫの位相と参照クロックＲＣＫの分周クロックＷＢＣＫ’の位相とを位相比較部３１によって比較する。そして、ウォブルクロックＷＢＣＫの位相と参照クロックＲＣＫの分周クロックＷＢＣＫ’の位相との比較結果に、位相ずれ情報記憶部３６に記憶していた位相ずれ量及び位相ずれ位置に基づいた補正を補正部３８により行い、電圧制御発振部３２により、この補正に応じた周波数の信号を参照クロックＲＣＫとして生成する。
【００８３】
また、位相ずれ情報記憶部３６により記憶した位相ずれ量及び位相ずれ位置に基づいて、位相ずれの周期情報を検出し、この位相ずれの周期情報に基づいて位相比較部３１からの出力を補正するようにすることもできる。
【００８４】
従って、本実施形態における情報記録装置によれば、ディスク状記録媒体Ａへ情報を記録する前に、補正すべき量及び位置を算出しておき、ディスク状記録媒体Ａへ情報を記録するときに、補正すべき位置に入ったとき、或いはその直前で算出しておいた補正量により補正を行うようにしているので、ウォブルクロックＷＢＣＫに位相ずれが生じたときでも、精度よく補正を行うことができ、記録用クロックの精度が悪化するのを抑制することができる。
【００８５】
なお、補正すべき量の算出を実施する際には、繰り返し制御等の手法を用いることによって、より正確に補正量を決めることができる。従って、該当位置での記録品質を向上させることができる。
【００８６】
また、本実施形態においては、セレクタ３４がアドレス情報とＦＧパルスのいずれを選択することとしたが、セレクタ３４を設けずにアドレス情報とＦＧパルスのいずれか一方を固定的に信号Ｓｉｇ２として入力するようにしてもよい。
【００８７】
また、セレクタ３４は、アドレス情報が入力されたときにこのアドレス情報を選択し、このアドレス情報を信号Ｓｉｇ２として出力し、ＦＧパルスが入力されたときにこのＦＧパルスを選択し、このＦＧパルスを信号Ｓｉｇ2として出力するように構成したが、システムコントローラ１３によって、ディスク状記録媒体Ａの種類に応じていずれを使用するかを選択するようにしてもよい。
【図面の簡単な説明】
【００８８】
【図１】本発明の一実施形態に係る情報記録装置の全体的な構成を示した図である。
【図２】本発明の一実施形態に係る記録用クロック生成部の構成を示す図である。
【図３】ディスク状記録媒体とＦＧパルスとの関係を示す図である。
【図４】偏心したディスク状記録媒体における位相ずれの説明図である。
【図５】従来の記録用クロック生成部の構成を示す図である。
【図６】ＤＶＤ＋Ｒ／ＲＷにおけるウォブル信号の位置ずれの例を示す図である。
【図７】ＤＶＤ−ＲＡＭにおけるＣＡＰＡの配置を示す図である。
【図８】ＤＶＤ−ＲＡＭにおけるウォブル信号の位置ずれの例を示す図である。
【符号の説明】
【００８９】
１  情報記録装置
１１  ウォブル復調部
２０  記録用クロック生成部
２１  アドレスデータ抽出部
２２  記録用クロック生成部
３０  ウォブルＰＬＬ回路（第１ＰＬＬ回路）
３１  位相比較部
３２  電圧制御発振部（ＶＣＯ）
３３  分周器
３４  セレクタ
３５  位相ずれ検出部
３６  位相ずれ情報記憶部
３７  位相ずれ周期検出部
３８  補正部
４１  補正値算出部
４２  加算部
５０  ライトクロックＰＬＬ回路（第２ＰＬＬ回路）
６０  アドレス情報
６１  ＦＧパルス発生器
【図１】
2008047166.tif 000003
【図２】
2008047166.tif 000004
【図３】
2008047166.tif 000005
【図４】
2008047166.tif 000006
【図５】
2008047166.tif 000007
【図６】
2008047166.tif 000008
【図７】
2008047166.tif 000009
【図８】
2008047166.tif 000010